(57)【要約】【課題】単票シートと連続シートの収容機構を比較的簡易な構成で併設し、両者を切り替えながら印刷する場合であっても、良好な操作性のもと、それぞれを効率的に収容可能なシート収納装置を提供する。【解決手段】単一の面状体３１０の姿勢を調整することによって、面状体３１０の領域において、単票シートＣＳの複数を収容するための第１のシート収納部３１４と連続シートＳをロール状に収容するための第２のシート収納部３１５とを形成する。【選択図】図１
2013028005.tif 000002
【特許請求の範囲】
【請求項１】
排出されるシートを収容するためのシート収納装置であって、
切断された単票シートあるいは切断されていない連続シートを排紙する排紙口と、
該排紙口より排出された前記単票シートの複数を収容するための第１のシート収納部と、
前記排紙口より排出された前記連続シートをロール状に収容するための第２のシート収納部と、を備え、
前記第１のシート収納部および前記第２のシート収納部は、単一の面状体の姿勢を調整することによって形成され、前記第２のシート収納部は前記面状体において、前記第１のシート収納部よりも狭く且つ深い凹部を有することを特徴とするシート収納装置。
【請求項２】
前記面状体の一端を拘束する第１の拘束手段と、前記面状体のもう一方の一端を拘束する第３の拘束手段と、前記第１の拘束手段と前記第３の拘束手段の間における前記面状体を拘束する第２の拘束手段とを更に備え、
前記第１のシート収納部および前記第２のシート収納部は、前記第２の拘束手段および前記第３の拘束手段の位置を前記第１の拘束手段に対して調整することにより、形成されることを特徴とする請求項１に記載のシート収納装置。
【請求項３】
連続シートに記録を行う記録装置であって、
搬送される前記連続シートに記録を行う記録手段と、
該記録手段によって記録が施された前記連続シートを切断するカッターと、
該カッターによって切断された単票シートあるいは切断されていない前記連続シートを排紙する排紙口と、
該排紙口より排出された前記単票シートの複数を収容するための第１のシート収納部と、
前記排紙口より排出された前記連続シートをロール状に収容するための第２のシート収納部と、を備え、
前記第１のシート収納部および前記第２のシート収納部は、単一の面状体の姿勢を調整することによって形成され、前記第２のシート収納部は前記面状体において、前記第１のシート収納部よりも狭く且つ深い凹部を有することを特徴とする記録装置。
【請求項４】
排出されるシートを収納するためのシート収納装置であって、
シート状部材の一端を拘束する第１の拘束手段と、前記シート状部材のもう一方の一端を拘束する第３の拘束手段と、前記第１の拘束手段と前記第３の拘束手段の間における前記シート状部材を拘束する第２の拘束手段とを備え、
前記シート状部材の、前記第１の拘束手段と前記第２の拘束手段との間の部分は広げられた状態のシートを収納する第１の収納部を形成し、
前記シート状部材の、前記第２の拘束手段と第３の拘束手段の間の部分は、ロール状に巻かれたシートを転がり落ちないように収納する凹部を有する第２の収納部を形成したことを特徴とするシート収納装置。
【発明の詳細な説明】
【技術分野】
【０００１】
本発明は、排出されるシートを効率的に収納するためのシート収納装置およびこれを用いる記録装置に関する。
【背景技術】
【０００２】
特許文献１には、インクジェットプリンタによって記録された後のロール紙を自動で巻き取り収納する装置が開示されている。
【０００３】
図６は、特許文献１に開示されている記録装置のシート収納装置の概略図である。特許文献１によれば、排紙口５４０から排出された記録後の連続シートＳは、その先端が巻き芯６１０にテープ等で固定され、記録の進行に伴って連続シートＳが徐々に図のように垂れ下がって行く。装置の底部には、発光部７１０と受光部７２０からなる光学センサ７００が配備されている。垂れ下がったシートによって光学センサ７００の発光部７１０と受光部７２０の間の光が遮られると、不図示のモータが駆動して巻き取り芯６１０を矢印の方向に所定量回転させる仕組みになっている。これにより、シートが巻き取り芯６１０の周りに所定量巻き取られ、シートの垂れ下がり量も低減する。このような光学センサ７００によるシートの垂れ下がりの検出と、その度の巻き取り動作とを繰り返すことにより、記録後のシートを汚したり傷つけたりすることなく、自動的に巻き取り収納することが出来る。
【０００４】
なお、このような記録装置では、記録後のシートをカッター５３０で切断し、複数の単票シートを連続的に排出することも出来るようになっている。
【先行技術文献】
【特許文献】
【０００５】
【特許文献１】特開２００５−１６１６６４号公報
【発明の概要】
【発明が解決しようとする課題】
【０００６】
しかしながら、特許文献１のような自動的な巻取り機構は、巻き取りのためのモータやセンサおよび制御部などを用意しなければならない。そのため、機構が複雑かつ大掛かりになり、排紙後の記録物のために多大なコストアップが招致される場合があった。また、単票シートの収容と連続シートの巻き取り機構の併設が考慮されておらず、単票シート印刷と連続シート印刷とを切り替えながら行う場合に対し、操作性の問題が提起されていた。
【０００７】
本発明は、上記問題点を解消するためになされたものである。よってその目的とするところは、単票シートと連続シートの収容機構を比較的簡易な構成で併設し、両者を切り替えながら印刷する場合であっても、良好な操作性のもと、それぞれを効率的に収容可能なシート収納装置を提供することである。
【課題を解決するための手段】
【０００８】
そのために本発明は、排出されるシートを収容するためのシート収納装置であって、切断された単票シートあるいは切断されていない連続シートを排紙する排紙口と、該排紙口より排出された前記単票シートの複数を収容するための第１のシート収納部と、前記排紙口より排出された前記連続シートをロール状に収容するための第２のシート収納部と、を備え、前記第１のシート収納部および前記第２のシート収納部は、単一の面状体の姿勢を調整することによって形成され、前記第２のシート収納部は前記面状体において、前記第１のシート収納部よりも狭く且つ深い凹部を有する。
【発明の効果】
【０００９】
本発明によれば、単票シートＣＳと連続シートＳの収容機構を比較的簡易な構成で併設し、良好な操作性のもと、それぞれを効率的に収容することが可能となる。
【図面の簡単な説明】
【００１０】
【図１】実施例１に係る記録装置の主要部を示す断面図である。
【図２】シートの先端領域を収容した状態で記録を継続した場合の様子を示した図である。
【図３】実施例２に係る記録装置の主要部を示す断面図である。
【図４】連続シートに記録する場合の設置状態を示す図である。
【図５】実施例１の設置状態の別例である。
【図６】特許文献１に開示されている記録装置のシート収納装置の概略図である。
【発明を実施するための形態】
【実施例１】
【００１１】
図１は、本発明の実施例１に係る記録装置の主要部を示す断面図である。図１に示す記録装置は、ＪＩＳ規格のＡ０判やＢ０判より大きなサイズ(例えば、９１４．４ｍｍ×３０ｍ)のシートまで連続で記録できるインクジェットプリンタである。インクジェットプリンタは、主にプリンタ本体１００とシート収納装置３００から構成され、両者は分離可能になっている。
【００１２】
プリンタ本体１００において、ロール状に収容されているシートＳは、給紙部１１０によってその上部に位置する記録部１２０まで給紙およびＵターン搬送され、水平が維持されている状態で記録ヘッド１２１による記録が行われる。その後、さらに水平状態が維持されたまま排紙口１３０へと搬送される。単票シートとして排紙する場合は、カッター１２２によって所定の箇所でシートＳが切断されてから、排紙口１３０に送られる。
【００１３】
シート収納装置３００はプリンタ本体１００の脚部となるスタンド２００に装着されており、プリンタ本体１００の下部に図のように大きく広がった面状体３１０を備えている。面状体３１０は、布あるいは薄手のシート材（シート状部材）で構成され、姿勢を調整することで撓みの状態を変化させることができる。本実施例ではこのような面状体３１０の特徴を利用することで、排紙口１３０から排出されたシートＳを様々な形態で収容可能としている。
【００１４】
面状体３１０の一端は、プリンタ本体１００の水平方向における背面位置を規定する背面側端部に備えられた第１の拘束手段３３０によって拘束されている。また、面状体３１０の中央部分では、第２の拘束手段３２０によって、もう一方の端部は第３の拘束手段３７０によって拘束されている。これら第１〜第３の拘束手段は図面垂直方向に延在する円筒の棒部材で構成され、シート状の面状体３１０はこれら棒部材の周囲に巻きつけ縫合されることにより上記拘束が成り立っている。
【００１５】
スタンド２００の底部には回動支持体３５０が備えられており、アーム体３４０の一端をアーム体３４０が回動可能に支持している。そして、アーム体３４０のもう一方の端部に第２の拘束手段３２０がジョイント部材で固定されている。第２の拘束手段３２０が取り付けられているアーム体３４０の端部には、やはりアーム状の支持部材３６０が連結固定されており、さらに支持部材３６０のもう一方の端部に第３の拘束手段３７０がジョイント部材で固定されている。アーム体３４０、回動支持体３５０および支持部材３６０は、図面垂直方向に所定の間隔を持って一対配置されており、棒部材である第１〜第３の拘束手段をその両端において支持している。
【００１６】
以上説明した構成のもと、第１の拘束手段３３０と第２の拘束手段３２０の間に位置する面状体３１０は、回動可能なアーム体３４０の位置を調整することにより変形し、緩やかな撓みを有する第１のシート収容部３１４を画成する。第１のシート収容部３１４は排紙口１３０の直下を含む比較的広い範囲に及んでおり、ＪＩＳ規格のＡ０判やＢ０判など、比較的大きいサイズの単票シートを収容する領域となる。第１のシート収容部３１４は単票シートを広がった状態、または二つ折り程度の状態のまま収納できる。また、第２の拘束手段３２０と第３の拘束手段３７０の間に位置する面状体３１０は第１のシート収容部よりも狭く且つ大きな撓み（凹部）を形成し、本実施例の第２のシート収容部３１５を画成する。第２のシート収容部３１５は、排紙口１３０よりも水平方向にずれた位置に配置され、切断されない連続シートを巻き取りながら収容する領域となる。第２のシート収容部は、巻き取られてロール状になった連続シートが、シートの排出方向またはその逆方向に転がり落ちないように面状体３１０を撓ませた凹部を形成する。
【００１７】
以下、実際の記録動作時におけるシート収容状態を具体的に説明する。排出されるシートがカッター１２２により切断された単票シートＣＳの場合、連続して排出される複数の単票シートＣＳは、第１の収納部３１４上に落下しその傾斜に案内されて集積される。
【００１８】
一方、排出されるシートが、カッター１２２により切断されていない連続シートＳの場合、記録が進行するにつれてその先端は図１の破線で示すように下方に垂れ下がる。例えばその先端が面状体３１０に接触する程度までシートが垂れ下がると、ユーザはシートの先端をＡ方向に持ち上げて第２のシート収容部３１５に収容することが出来る。このとき、シートの弛みが無くなる程度までＢ方向へ巻き取った状態で第２のシート収容部３１５に収容することが好ましい。
【００１９】
図２は、このようにシートの先端領域を第２のシート収容部３１５に収容した状態で、さらに記録が継続された場合のシートの様子を示した図である。排出されるシートは、排紙口１３０と第２のシート収納部３１５の間で撓み、そのループは第１のシート収納部３１４上で滑りながら徐々に大きくなっていく。適度なループが形成されたところで、ユーザがシートの弛みが無くなる程度までＢ方向にこれを巻き取る。このような巻き取り動作を記録の進行に伴って繰り返し行うことにより、シートを汚したり傷つけたりすることなく、効率的に第２のシート収容部に巻き取り収容することが出来る。
【００２０】
以上説明したように本実施例によれば、単票シートＣＳは面状体３１０の一部である第１のシート収容部３１４にて効率的に収容される。同時に、連続シートＳは面状体３１０の別の一部である第２のシート収容部３１５にて、ロール状に収容される。すなわち、本実施例によれば、単票シートＣＳと連続シートＳの収容機構を単一の面状体を用いることにより比較的簡易な構成で併設し、良好な操作性のもと、それぞれを効率的に収容することが可能となる。
【００２１】
なお、本実施例において、支持部材３６０はアーム体３４０に対し回動可能に固定されていてもよい。このような構成であれば、排出されるシートが単票シートのみである場合に、支持部材３６０を図５のように鉛直下方に折り曲げることにより、記録装置全体の設置面積を小さくすることができる。
【実施例２】
【００２２】
図３は、本発明の実施例２に係る記録装置の主要部を示す断面図である。実施例１と同じ作用を有する部材は図１と同じ符号で示し、ここでは実施例と異なる部材について説明する。
【００２３】
本実施例において、面状体４１０の一端は、背面側端部に備えられた第１の拘束手段４３０によって拘束されている。面状体４１０の中央部分では、第２の拘束手段４２０によって、もう一方の端部は第３の拘束手段４７０によって拘束されている。これら第１〜第３の拘束手段は図面垂直方向に延在する円筒の棒部材で構成され、シート状の面状体４１０はこれら棒部材の周囲に巻きつけ縫合されることにより上記拘束が成り立っている。
【００２４】
スタンド２００の底部には回動支持体４５０が備えられており、アーム体４４０の一端をアーム体４４０が回動可能に支持している。本実施例のアーム体４４０は実施例１よりも長く、アーム体４４０のもう一方の端部には第３の拘束手段４７０がジョイント部材で固定されている。また、アーム体４４０の途中には、アーム体４４０とほぼ直行する方向に延在するガイド部材４６０が取り付けられている。ガイド部材４６０には、棒部材である第２の拘束手段４２０がガイド部材４６０に沿ってスライドし好適な位置で保持できるようなロック機構が設けられている。アーム体４４０、回動支持体４５０およびガイド部材４６０は、図面垂直方向に所定の間隔を持って一対配置されており、棒部材である第１〜第３の拘束手段をその両端において支持している。
【００２５】
以上説明した構成のもと、第１の拘束手段４３０と第３の拘束手段４７０の間に位置する面状体４１０は、回動可能なアーム体４４０と、ガイド部材４６０に沿ってスライド可能な第２の拘束手段４２０の位置を調整することにより変形可能である。本実施例では、アーム体４４０およびガイド部材４６０を適切に調整することにより、緩やかな撓みを有する第１のシート収容部４１４および比較的大きな撓み（凹部）を有する第２のシート収容部４１５を形成する。
【００２６】
以下、実際の記録動作時におけるシート収容状態を具体的に説明する。排出されるシートがカッター１２２により切断された単票シートＣＳの場合、第２の拘束手段４２０は図３のようにガイド部材４６０の低位置に固定される。これにより、第１の拘束手段４３０から第３の拘束手段４７０に及ぶ広い範囲の緩やかな傾斜が画成され、これが本実施例の第１のシート収容部４１４となる。そして、排紙口１３０より連続して排出される複数の単票シートＣＳは、第１の収納部４１４上に落下し、その傾斜に案内されて集積される。このように、本実施例の第１のシート収容部４１４は実施例１の場合よりも更に大きなサイズの単票シートを収容することが出来る。
【００２７】
一方、排出されるシートがカッター１２２により切断されていない連続シートＳの場合、第２の拘束手段４２０は図４のようにガイド部材４６０の高位置に固定される。これにより、第２の拘束手段と第３の拘束手段の間には比較的深い凹部が画成され、これが本実施例の第２の収納部４１５となる。第２の収納部４１５は実施例１の第２の収納部３１５と同様にシートを扱うことが出来る。
【００２８】
以上説明したように本実施例においては、単票シートＣＳは、第２の拘束手段４２０を低位置に固定することにより形成された比較的緩やかに傾斜した第１のシート収容部４１４にて、効率的に収容される。一方、連続シートＳは、第２の拘束手段４２０を高位に固定することにより形成された比較的深い凹部を有する第２のシート収容部４１５にて、ロール状に収容される。すなわち、本実施例においても、単票シートＣＳと連続シートＳの収容機構を比較的簡易な構成で併設し、良好な操作性のもと、それぞれを効率的に収容することが可能となる。
【符号の説明】
【００２９】
Ｓ  連続シート
ＣＳ  単票シート
１３０  排紙口
３００  シート収納装置
３１０  面状体
３１４  第１のシート収納部
３１５  第２のシート収納部
３２０  第２の拘束手段
３３０  第１の拘束手段
３４０  アーム体
３５０  回転支持体
３６０  支持部材
３７０  第３の拘束手段
【図１】
2013028005.tif 000003
【図２】
2013028005.tif 000004
【図３】
2013028005.tif 000005
【図４】
2013028005.tif 000006
【図５】
2013028005.tif 000007
【図６】
2013028005.tif 000008